(57)【要約】【課題】インテリジェント盗難防止デバイスを提供すること。【解決手段】インテリジェント盗難防止デバイスは、アラーム回路と自己監視回路を含む。アラーム回路のアラームは、少なくとも１個の振動スイッチを介してバッテリに接続される。アラーム回路が始動され、且つ電子装置が動かされると、振動スイッチが、アラームとバッテリを接続してアラームを起動する。自己監視回路は、インジケータとテストアラームを有する。自己監視回路は、監視スイッチを介してアラーム回路に接続される。アラームとテストアラームが、同時に起動されるか否かによって、アラームが適切に機能している否かがわかる。【選択図】図１
0003131434.tif 000002
【実用新案登録請求の範囲】
【請求項１】
電子装置用のインテリジェント盗難防止デバイスであって、当該盗難防止デバイスは、
少なくとも１個の振動スイッチを介してバッテリに接続されるアラームを備えるアラーム回路と、
インジケータとテストアラームとを備え、監視スイッチを介してバッテリとアラーム回路に接続される自己監視回路と、
アラーム回路と自己監視回路を接続し、且つ少なくとも一つの外部インターフェースを含む接続ユニットと、を備えるインテリジェント盗難防止デバイス。
【請求項２】
マニュアルスイッチが、アラーム回路のアラームと振動スイッチとの間に設けられる、請求項１に記載のインテリジェント盗難防止デバイス。
【請求項３】
振動スイッチは、ローリングボールスイッチである、請求項１又は２に記載のインテリジェント盗難防止デバイス。
【請求項４】
マニュアルスイッチと監視スイッチは、ディップスイッチである、請求項２に記載のインテリジェント盗難防止デバイス。
【請求項５】
アラーム回路は、スペア電力回路に接続され、このスペア電力回路は、
アラーム回路のバッテリに並列に接続される充電式バッテリと、
充電式バッテリに接続される充電回路と、
アラーム回路のアラームとバッテリとの間に接続され、一つの制御端子を有する電子スイッチと、を備える、請求項１に記載のインテリジェント盗難防止デバイス。
【請求項６】
電子スイッチは、ソースが充電式バッテリとバッテリの正の端子に接続され、ドレインが接地され、且つゲートが制御端子として機能するＣＭＯＳ電界効果トランジスタ（ＦＥＴ）である、請求項５に記載のインテリジェント盗難防止デバイス。
【請求項７】
電子スイッチは、スイッチを介して充電回路の充電式バッテリの正の端子に接続される、請求項５又は６に記載のインテリジェント盗難防止デバイス。
【請求項８】
電子装置は、液晶ディスプレイ、プラズマディスプレイ、パーソナルコンピュータ、ノートブック型コンピュータ、ＤＶＤプレーヤ、又はＤＶＲである、請求項１に記載のインテリジェント盗難防止デバイス。
【考案の詳細な説明】
【技術分野】
【０００１】
本考案は、アラームデバイスに関し、具体的には、液晶ディスプレイ（ＬＣＤ）、プラズマディスプレイ、デジタルビデオディスク（ＤＶＤ）プレーヤ、デジタルビデオレコーダ（ＤＶＲ）等の装置用のインテリジェント盗難防止デバイスに関する。
【背景技術】
【０００２】
半導体技術の迅速な開発によって、多くの電子製品の価格が、低くなっており、それらは日常使用用として広まっている。ＬＣＤを例として考える。ＬＣＤは、驚くべき速さで、従来のカソードレイチューブ（陰極線管：ブラウン管）スクリーンと置き換わっている。大部分のパーソナルコンピュータのディスプレイ端末は、ＣＲＴモニタに代わってＬＣＤを使用している。このトレンドは、ホームテレビジョンにも拡大している。
【０００３】
ＬＣＤは、ディスプレイ市場の大部分を占める。また、プラズマディスプレイのような他の大型サイズのフラットパネルディスプレイがある。ＬＣＤディスプレイとプラズマディスプレイの両方は、比較的高価なデバイスであり、それらのサイズは、従来のＣＲＴスクリーンよりも非常に小さい。従って、それらは、ディスプレイまたはその他に使用される場合、より盗まれやすくなる。そのような場合、ＬＣＤ／プラズマディスプレイは、盗難を防止するためにしばしばチェーンでロックされる。しかしながら、この方法は、ロックのピッキングが上手な、または簡単にロックを破壊する盗人からは防ぐことができない。このように、チェーンを使用して全てのディスプレイ製品をロックすることは、あまり有効的ではない。
【０００４】
同様に、ビデオカメラ、コンピュータケース、ＤＶＲ及びＤＶＤのような他の電子製品は、以前よりもかなり軽くなってきている。これにより、これらの製品を移動することがより簡単になり、従って、これらの製品は、盗難の対象となる。
【考案の開示】
【考案が解決しようとする課題】
【０００５】
本考案の目的は、上述の問題を解決するために装置用のインテリジェント盗難防止デバイスを提供することである。
【課題を解決するための手段】
【０００６】
このインテリジェント盗難防止デバイスは、アラーム回路、自己監視回路、及び接続ユニットを含む。アラーム回路は、少なくとも一つの振動スイッチを介してバッテリと接続されるアラームを含む。自己監視回路は、インジケータとテストアラームとを含み、バッテリとアラーム回路との間に監視回路を介して並列に接続される。接続ユニットは、アラーム回路と自己監視回路を接続するために使用され、少なくとも一つの外部接続インターフェースを含む。
【０００７】
盗難防止デバイスは、電子装置内に設置される。電子装置が動かされると、振動スイッチが起動されて、アラームを作動する。
【０００８】
バッテリが良好な状態にあるか否かをテストするために、ユーザは、インジケータとテストアラームがバッテリから電力を得るように自己監視回路の制御スイッチをオンにする。次に、インジケータは、バッテリが十分な電力を有するか否か示す。アラームとテストアラームが同時に作動した場合、それは、アラームが正常に動作していることを意味する。
【０００９】
盗難防止デバイスは、接続ユニットの外部インターフェースを介して電子装置（例えば、ディスプレイ）の主制御回路に接続される。この場合、盗難防止デバイスは、そのメイン機能（例えば、オンスクリーンディスプレイ（ＯＳＤ））からオン／オフにされることができる。なお、ユーザは、同様にメニューから継続中のアラームをオフにすることができる。
【００１０】
更に、マニュアルスイッチが、アラーム回路のアラームと振動スイッチとの間に設けられ、それによって、ユーザは、手作業でアラームと振動スイッチ間の回路を遮断できる。これによって、デバイスの盗難防止機能がオフにされる。
【００１１】
特に、振動スイッチは、ローリングボールスイッチであり得る。マニュアルスイッチと監視スイッチは、ディップスイッチである。
【００１２】
盗難防止デバイスは、更に、スペア電力回路を含む。このスペア電力回路は、アラーム回路のバッテリに並列に接続された充電式バッテリを含み、充電回路は、充電式バッテリに接続され、且つ電子スイッチは、アラーム回路のアラームとバッテリとの間に接続される。電子スイッチは、主制御回路に接続された制御端子を有し、それによって、電子スイッチを使用して、主制御回路は、充電式バッテリ／バッテリが回路に接続されるか否かを制御でき、それによって、アラーム回路がオン又はオフにされたかを決定する。
【００１３】
電子スイッチは、金属酸化物電界効果トランジスタ（ＭＯＳＦＥＴ）である。そのソースは、充電式バッテリとバッテリの正の端子に接続されている。そのドレインは、接地される。そのドレインは、制御端子として機能する。
【００１４】
すなわち、本願の第１考案は、電子装置用のインテリジェント盗難防止デバイスであって、当該盗難防止デバイスは、少なくとも１個の振動スイッチを介してバッテリに接続されるアラームを備えるアラーム回路と、インジケータとテストアラームとを備え、監視スイッチを介してバッテリとアラーム回路に接続される自己監視回路と、アラーム回路と自己監視回路を接続し、且つ少なくとも一つの外部インターフェースを含む接続ユニットと、を備えるインテリジェント盗難防止デバイスである。
【００１５】
また、本願の第２考案は、マニュアルスイッチが、アラーム回路のアラームと振動スイッチとの間に設けられる、本願の第１考案に記載のインテリジェント盗難防止デバイスである。
【００１６】
また、本願の第３考案は、振動スイッチは、ローリングボールスイッチである、本願の第１考案又は第２考案に記載のインテリジェント盗難防止デバイスである。
【００１７】
また、本願の第４考案は、マニュアルスイッチと監視スイッチは、ディップスイッチである、本願の第２考案に記載のインテリジェント盗難防止デバイスである。
【００１８】
また、本願の第５考案は、アラーム回路は、スペア電力回路に接続され、このスペア電力回路は、アラーム回路のバッテリに並列に接続される充電式バッテリと、
充電式バッテリに接続される充電回路と、アラーム回路のアラームとバッテリとの間に接続され、一つの制御端子を有する電子スイッチと、を備える、本願の第１考案に記載のインテリジェント盗難防止デバイスである。
【００１９】
また、本願の第６考案は、電子スイッチは、ソースが充電式バッテリとバッテリの正の端子に接続され、ドレインが接地され、且つゲートが制御端子として機能するＣＭＯＳ電界効果トランジスタ（ＦＥＴ）である、本願の第５考案に記載のインテリジェント盗難防止デバイスである。
【００２０】
また、本願の第７考案は、電子スイッチは、スイッチを介して充電回路の充電式バッテリの正の端子に接続される、本願の第５考案又は第６考案に記載のインテリジェント盗難防止デバイスである。
【００２１】
また、本願の第８考案は、電子装置は、液晶ディスプレイ、プラズマディスプレイ、パーソナルコンピュータ、ノートブック型コンピュータ、ＤＶＤプレーヤ、又はＤＶＲである、本願の第１考案に記載のインテリジェント盗難防止デバイスである。
【考案の効果】
【００２２】
電子装置が、ここで開示されたインテリジェント盗難防止デバイスを備える場合、この電子装置が動かされると、その振動スイッチが、直ちにアラームとバッテリとを接続し、従って、アラームを作動する。自己監視回路は、盗難防止デバイスが、正常に機能しているか否かチェックできる。従って、本考案は、盗難の発生を効果的に防止できる。
【考案を実施するための最良の形態】
【００２３】
本考案の好適な実施の形態に従う回路図を図１に示す。ここで開示されたインテリジェント盗難防止デバイスは、アラーム１０、自己監視回路２０、及び接続ユニット３０を備える。インテリジェント盗難防止デバイスは、液晶ディスプレイ、プラズマディスプレイ、パーソナルコンピュータ、ノートブック型コンピュータ、ＤＶＤプレーヤ、又はＤＶＲ等の電子装置に適用されることができる。
【００２４】
アラーム回路１０は、アラーム１１、少なくとも１個の振動スイッチ１２、及びバッテリ１３を備える。アラーム１１は、振動スイッチ１２を介してバッテリ１３に接続される。この実施の形態では、振動スイッチ１２は、ローリングボールスイッチである。盗難防止デバイスを備える電子装置が移動されると、ローリングボールスイッチ内の金属ローラが動き、それによって、ここで、元来離間されている電極同士が電気的に接続される。従って、電子装置の移動が、盗難防止デバイスによって検出される。本実施の形態では、アラーム１１は、ブザーであり、バッテリ１３は、非充電式バッテリである。ユーザが、アラーム機能を手作業でオフにするために、マニュアルスイッチ１４が、アラーム１１と振動スイッチ１２間に設けられる。アラーム１１とローリングボールスイッチ１２間の接続は、アラームがオフにされるべきか否か決定するために、マニュアルスイッチ１４によって制御されることができる。
【００２５】
自己監視回路２０は、インジケータ２１とテストアラーム２２とを備える。インジケータ２１は、監視スイッチ２３と接続ユニット３０を介してアラーム回路１０に接続される。本実施の形態では、インジケータ２１は、デュアルカラー発光ダイオード（ＬＥＤ）である。異なる色の光が、異なる電圧で放射される。従って、ユーザは、バッテリの電力が、十分であるか否か知ることができる。監視スイッチ２３は、ディップスイッチや他の種類のスイッチである。
【００２６】
接続ユニット３０は、互いに接続され、アラーム回路１０に接続され、且つ自己監視回路２０に接続されたインターフェースＪ１とＪ２を含む。インターフェースＪ１の一方のピンは、バッテリ１３の負の端子に接続される。インターフェースＪ１の他方のピンは、マニュアルスイッチ１４と振動スイッチ１２を介してバッテリ１３の正の端子に接続される。自己監視回路２０内のインジケータ２１とテストアラーム２２は、アラーム１１と接続されることができる。インターフェースＪ１は、電子装置の主制御回路に接続されることができる。ディスプレイを例に取ると、インターフェースＪ１がディスプレイの主制御回路に接続された後に、オンスクリーンディスプレイ（ＯＳＤ）のようなデフォルトメニュープログラムが、アラーム時刻とアラーム回路１０のオン／オフを制御するために使用される。
【００２７】
上述のインテリジェント盗難防止デバイスが、電子装置に設置された場合、この電子装置が動かされると、振動スイッチ１２が起動されて閉じられる。この場合、アラーム１１とバッテリ１３は、閉回路を形成する。バッテリ１３は、電力を供給してアラームを作動し、盗人を脅かし、ユーザに知らせる。
【００２８】
自己監視回路２０は、バッテリ１３の電力が、十分であるか否か及びアラーム１１が、機能しているか否かテストするために使用される。このテストを実行するために、ユーザは、自己監視回路２０の監視スイッチ２３を押し、電子装置を振って振動スイッチ１２に通電する。インジケータ２１とテストアラーム２２は、共に電源に接続される。インジケータ２１が、デュアルカラーＬＥＤであるので、このインジケータは、電圧強度に従って異なる色を発する。従って、ユーザは、その色に従って、バッテリ１３が、十分な電力を有するか否か認識できる。アラーム１１とテストアラーム２２が、同時に作動されるか否かによって、アラーム１１が機能しているか否かをユーザは知る。テストアラーム２２のみがオフとなる場合、アラーム１１は故障しており、交換されるべきである。
【００２９】
本考案の他の実施形態が、図２に示されている。スペア電力回路４０は、先の実施形態の基本構造に追加されている。スペア電力回路４０は、充電式バッテリ４１、充電回路４２、及び電子スイッチ４３を含んでいる。
【００３０】
充電式バッテリ４１は、アラーム回路１０のバッテリ１３と並列に接続されるべきである。
【００３１】
充電回路４２は、充電式バッテリ４１と直流（ＤＣ）電源電圧入力（ＶＩＮ）との間に接続され、ＤＣ電源ＶＩＮを使用して充電式バッテリ４１を充電する。次に、充電式バッテリ４１は、スペア電力を提供する。充電回路４２は、主に充電コントローラＵ１（ＡＩＣ１７８３）、充電コントローラＵ１によって制御されると共にＤＣ電源ＶＩＮと充電式バッテリ４１との間に接続されたトランジスタＱ１，及び他の周辺コンポーネントを含む。充電コントローラＵ１は、トランジスタＱ１が導電状態であるか否かに従って、充電式バッテリ４１を充電すべきか否か決定する。
【００３２】
本実施形態の電子スイッチ４３は、相補型金属酸化膜半導体（ＣＭＯＳ）ＦＥＴである。そのソースは、抵抗器Ｒ１１を介してバッテリ１３の正の端子に接続される。また、そのソースは、他のスイッチＳＷ１を介して充電回路４２の充電式バッテリ４１の正の端子に接続される。そのゲートは、制御端子であり、且つ充電式バッテリ４１が電力を提供するのか又はバッテリ１３が電力を提供するのかを制御するために、電子装置の主制御回路に接続されることができる。主制御回路は、−５Ｖのパルスを出力し、ＣＭＯＳ  ＦＥＴを遮断する。スイッチＳＷ１が開かれると、充電回路４２の充電式バッテリ４１は、アラーム回路１０の電力回路から離間され、この場合、バッテリ１３が、電力を提供する。バッテリ１３が、十分な電力を有さず、交換が必要とされる場合、スイッチＳＷ１が閉じられ、それによって、充電回路４２の充電式バッテリ４１が、アラーム回路１０の電力回路に接続されて、必要な電力を提供する。同時に、ユーザは、バッテリ１３を交換できる。
【００３３】
他方、ユーザがアラーム機能をオフにすると、ＣＭＯＳ  ＦＥＴは、導電性となる。バッテリ１３と充電式バッテリ４１は、共に電力回路から離間される。従って、アラーム機能が不作動となる。
【００３４】
要約すると、ここで開示されたインテリジェント盗難防止デバイスは、コンピュータ、ビデオカメラ、ＤＶＲ、及びＤＶＤプレーヤなどの電気製品に設置できる。このようなデバイスが動かされると、振動スイッチが起動されてアラームとバッテリを接続する。バッテリは、電力を提供してアラームを作動し、これによって、防止効果が得られる。自己監視回路とスペア電力回路を使用すると、ユーザは、盗難防止デバイスが、機能しているか否かチェックでき、スペア電力を提供して、バッテリ電力が低い時でさえ、デバイスが動作できる。
【図面の簡単な説明】
【００３５】
【図１】本考案の第１の実施形態に従うインテリジェント盗難防止デバイスの回路図である。
【図２】本考案の第２の実施形態に従うインテリジェント盗難防止デバイスの回路図である。
【図１】
0003131434.tif 000003
【図２】
0003131434.tif 000004